(57)【要約】【課題】ネジ軸がさび付いたビスを弛める際に、各挟持アームの接合座が浮き離れるのを防止して、使用者の意図通りにビスを弛めることができ、効果的に捻り力を伝えることができるプライヤーを提供する。【解決手段】Ｘ字状に交差するよう配置した両挟持アーム１・２を連結軸３で連結する。各挟持アーム１・２は、一端にアゴ部４を有し他端側に握り柄５を設けてある。アゴ部４の先端対向面には、ビス頭１５の対向周面を挟持捕捉する一対の挟歯１２が凹み形成されている。第１挟持アーム１と第２挟持アーム２とは、左利き用のはさみの交差形態と同じ逆交差構造として、ビスを弛み操作するとき、捻り反力によって両挟持アーム１・２の接合座２１が互いに密着できるようにする。【選択図】図１
2005279801.tif 000002
【特許請求の範囲】
【請求項１】
一端にアゴ部４を有し他端側に握り柄５が設けてある第１挟持アーム１と第２挟持アーム２とを備えており、
Ｘ字状に交差するよう配置した両挟持アーム１・２が、連結軸３で連結されているプライヤーにおいて、
各アゴ部４の先端対向面には、ビス頭１５の対向周面を挟持捕捉する一対の挟歯１２が凹み形成されており、
第１挟持アーム１と第２挟持アーム２との交差形態が、左利き用のはさみの交差形態と同じ逆交差構造になっていることを特徴とするプライヤー。
【請求項２】
第１挟持アーム１と第２挟持アーム２とのいずれか一方に、連結軸３が固定され、他方に連結軸３と嵌合する連結穴１６が形成されており、
連結穴１６は、両端に設けた嵌合穴１７と、両嵌合穴１７を繋ぐ幅狭の溝１８とを備えていて、連結軸３と嵌合する嵌合穴１７を変更することによって、アゴ部４の拡開量を大小に変更できるようにした請求項１記載のプライヤー。
【発明の詳細な説明】
【技術分野】
【０００１】
ネジ軸がさび付いたビスは、ドライバーで取り外すのが困難になる。とくに、ネジ頭部に設けた操作溝が変形し潰れてしまうとドライバーでビスを弛めることは不可能となる。本発明は、ネジ軸がさび付き、あるいは操作溝が潰れたビスの頭部周面をつかんで弛め、締結対象から取り外すのに好適なプライヤーに関する。なお、本発明のプライヤーはビスが右ネジである場合にのみ有効である。
【背景技術】
【０００２】
本出願人は、ネジ軸がさび付いたビスを取り外すのに好適なプライヤーを先に提案した（特許文献１参照）。そこでは図６に示すようにアゴ部２７先端の対向面に、一対の挟歯２８を内凹み状に形成し、これら挟歯２８でビス頭１５の対向周面を挟持捕捉する。挟歯２８の挟持平面はアゴ部先端へ向かって先すぼまり状に形成してあり、両挟歯２８でビス頭１５を挟持したとき、挟持平面がほぼ平行になるようにして、ビス頭１５の周面を確実に挟持捕捉できるようにしている。
【０００３】
プライヤーなどの挟み工具は一対の挟持アームをＸ字状に組んで構成してあり、各挟持アームのグリップを互いに接近する向きへ握り締めることにより、対向するアゴ部を接近揺動させて挟持対象をつかむ。ここで注目すべきは、従来のプライヤーが右利き用の鋏と同じ交差構造になっている点にある。詳しくは、図６に示すように、グリップ体が上側に位置している挟持アームを第１挟持アーム２５とし、他方を第２挟持アーム２６とするとき、第１挟持アーム２５は想像線で示すように第２挟持アーム２６より図面手前側に位置する状態で組み付けてある。
【０００４】
本発明のプライヤーは、一対の挟持アームを上記とは逆の交差構造（以下、逆交差構造という）となるように組み付けるが、このように左利き用の鋏と同じ逆交差構造とした挟み工具は、特許文献２、３、４の図面に見ることができる。しかし、敢えて逆交差構造とする意義についてはなんら説明がない。
【０００５】
【特許文献１】特開２００３−２９１０７２号公報（段落番号００１４、図２）
【特許文献２】特開２００２−３０７３１７号公報（図２）
【特許文献３】実用新案登録第２５５８２１２号公報（図１）
【特許文献４】意匠登録第２４８３０８号公報（正面図）
【発明の開示】
【発明が解決しようとする課題】
【０００６】
本発明者は、アゴ部の構造が基本的に特許文献１と同じ構造のスリップジョイントプライヤー（コンビネーションプライヤー）を試作し、ネジ軸がさび付いているビスを弛める際に各挟持アームに作用する力を解析し、さらに試行錯誤を繰り返しながら構造の最適化を検討した。その結果、以下のような事実を確認し、新たな知見を得た。
【０００７】
スリップジョイントプライヤーは、一対の挟持アームの連結点をずらすことにより、挟持対象に応じてアゴ部の拡開量を大小に変更できるが、連結点の変更を容易化するために、連結軸とひょうたん形の連結穴とは、連結軸の径方向へ僅かにがたつくことができる。しかも、両挟持アームの接合座（交差部分）が連結軸の軸心方向へ僅かに接離できる状態で連結してある。このように、連結軸と連結穴との嵌合度合いがゆるやかであっても、対象物を挟む目的でプライヤーを使用する限り支障はない。しかし、挟持した対象物を捻り操作する場合に問題が生じる。
【０００８】
各挟持アームのアゴ部でビス頭を挟持して弛み方向へ捻ると、各挟持アームのアゴ部には、互いに逆向きの捻り反力が作用するが、これらの捻り反力によって、両挟持アームの接合座どうしが離れる向きの力を受け、接合座が互いに浮き離れ、個々のアゴ部における挟歯の挟持中心がずれてビスを確実に捻り操作できなくなる。とくに、連結軸の嵌合隙間が大きなスリップジョイントプライヤーでは、各挟持アームががた付く分だけ、プライヤーに加えた操作力がビスに伝わらず、使用者の意図通りにビスを分離できない。
【０００９】
本発明の目的は、一対の挟持アームが従来のプライヤーとは逆の交差構造としてあって、ネジ軸が錆付いたビス頭を挟持捕捉して弛めるのに好適なプライヤーを提供することにある。本発明の目的は、ビスを弛める際に各挟持アームの接合座が浮き離れるのを防止して、使用者の意図通りにビスを弛めることができ、使い勝手に優れたプライヤーを提供することにある。
【課題を解決するための手段】
【００１０】
本発明のプライヤーは、一端にアゴ部４を有し他端側に握り柄５が設けてある第１挟持アーム１と第２挟持アーム２とを備えていて、Ｘ字状に交差するよう配置した両挟持アーム１・２が、連結軸３で連結されている。各アゴ部４の先端対向面には、ビス頭１５の対向周面を挟持捕捉する一対の挟歯１２が凹み形成されており、第１挟持アーム１と第２挟持アーム２との交差形態が、左利き用のはさみの交差形態と同じ逆交差構造になっていることを特徴とする。
【００１１】
上記のプライヤーは、第１挟持アーム１と第２挟持アーム２とのいずれか一方に、連結軸３が固定され、他方に連結軸３と嵌合する連結穴１６が形成されており、連結穴１６は、両端に設けた嵌合穴１７と、両嵌合穴１７を繋ぐ幅狭の溝１８とを備えていて、連結軸３と嵌合する嵌合穴１７を変更することによって、アゴ部４の拡開量を大小に変更できるようにする。
【発明の効果】
【００１２】
本発明では、第１挟持アーム１と第２挟持アーム２とを、左利き用のはさみの交差形態と同じ逆交差構造として、ビス頭１５の対向周面を一対のアゴ部４でつかんで弛み方向へ捻り操作したとき、捻り方向とは逆向きの捻り反力Ｐによって、両挟持アーム１・２の接合座２１どうしが互いに密着できるようにした。したがって、本発明によれば、ネジ軸が錆付いたビスや、ドライバー用の操作溝が潰れたビスなどを弛め操作するとき、両挟持アーム１・２の接合座２１が互いに浮き離れたり、あるいは各挟持アーム１・２ががた付いたりするのを確実に防止できる。その結果、もはやドライバーでは緩めることができないビスでも、使用者の意図通り確実に、しかも速やかに締結対象から除去できるうえ、プライヤーに加えた操作力を確実にビスに伝えて、動作ロスがない状態でビスを分離できる。
【００１３】
第１挟持アーム１と第２挟持アーム２とが、両者の連結点をずらすことにより挟持対象に応じてアゴ部４の拡開量を大小に変更できるスリップジョイント型のプライヤーの場合でも、ネジ軸が錆付いたビスを弛める際に、両挟持アーム１・２の接合座２１が互いに浮き離れるのを防止して、ビスを簡便に弛み操作し締結対象から容易に取り外すことができる。連結軸３と連結穴１６との間に嵌合隙間があっても、各挟持アーム１・２の接合座２１を密着させて両者のがた付きを阻止できるので、プライヤーに加えた操作力を確実にビスに伝えて使用者の意図通りに分離できる。
【発明を実施するための最良の形態】
【００１４】
図１ないし図５は本発明をスリップジョイントプライヤーに適用した実施例を示す。図１および図２において、プライヤーはＸ字状に交差するよう配置される第１挟持アーム１および第２挟持アーム２と、両アーム１・２を相対揺動可能に連結する連結軸３などで構成されている。
【００１５】
各挟持アーム１・２は、それぞれ一端にアゴ部４を有し、他端側を握り柄５とした鍛造品からなり、握り柄５の外面にプラスチック成形品からなるグリップ体６を装着してある。各アゴ部４の対向面には、挟持間隔が大きな対象物を挟むための第１挟歯１０と、板片や軸片などの挟持間隔が小さな対象物を挟むための第２挟歯１１と、ビス頭１５の対向周面を挟持捕捉する第３挟歯（挟歯）１２と、針金などの線材を切断するための切刃１３とが設けられている。
【００１６】
図２において第１挟歯１０は、各挟持アーム１・２のアゴ部４の対向面に凹み形成してあり、鋸歯状に連続する一群の条歯で構成されている。第２挟持アーム１側の条歯群が凹曲面に沿って形成してあるのに対し、第１挟持アーム１側の条歯群は逆Ｖ字状の屈曲面に沿って形成してある。図５に示すように、六角ボルトのボルト頭部や六角ナットの隣接周面を、第１挟持アーム１側の条歯群で受け止めて、確実に挟持できるようにするためである。そのために、第１挟歯を構成する条歯群の開き角度は、ボルト頭部の隣接周面が挟む角度（１２０度）より僅かに大きく（１２５度）設定してある。
【００１７】
第２挟歯１１は、第１挟歯１０に隣接するアゴ部４の先端対向面に形成してあり、第１挟歯１０に比べて、突出高さが小さな条歯群で形成する。第１挟歯１０の条歯群、および第２挟歯１１の条歯群は、それぞれアゴ部４の厚み方向へ切削加工を施して形成してある。なお、後述する両挟持アーム１・２の接合面２０は、接合座２１に研削加工を施して精度よく仕上げてある。
【００１８】
図１および図３において第３挟歯１２は、第２挟歯１１の厚み方向中央部分に凹み形成してあり、ビス頭１５の対向周面を確実に挟持捕捉するために、第３挟歯１２を構成する条歯群を凹曲面に沿って形成し、さらに、その挟持平面をアゴ部先端へ向かって先すぼまり状に形成してある。この挟持平面の傾き角度を図２に符号θで表わした。第３挟歯１２は、アゴ部４の先端対向面にアーム長手方向の切削加工を施すことにより形成することができる。
【００１９】
連結軸３は第２挟持アーム２に固定してあり、連結軸３と嵌合する連結穴１６が第１挟持アーム１の側に設けてある。図３において連結穴１６は、両端に設けた優弧穴状の嵌合穴１７・１７と、両嵌合穴１７を繋ぐ幅狭の溝１８とを備えていて、連結軸３と嵌合する嵌合穴１７を変更することによって、アゴ部４の拡開量を大小に変更することができる。図示していないが、連結軸３の中途部には断面太鼓形の平行軸部を形成してあり、この平行軸部が溝１８をくぐりぬけることで、連結軸３と嵌合する嵌合穴１７を変更することができる。
【００２０】
本発明は、上記のようなプライヤーにおいて、第１挟持アーム１と第２挟持アーム２２との交差形態を、左利き用のはさみの交差形態と同じ逆交差構造とする点に特長を有する。詳しくは、図１に示すように、第１挟持アーム１が図面手前側に位置する状態で、第１挟持アーム１と第２挟持アーム２とを組み付け、連結軸３の軸中心を通る水平面より下側に第１挟持アーム１の握り柄５を位置させ、先の水平面より上側にアゴ部４を位置させる。この組み付け状態においては、第１挟持アーム１のアゴ部４が両アーム１・２の接合面２０（はさみの切刃部分に相当する）より上方に位置するため、右手でグリップ体６をつかみ操作するとき、接合面２０が第１挟持アーム１のアゴ部４で覆われて、はさみの切刃部分に相当する接合面２０が視認しにくい構造となる。
【００２１】
上記のように、一対の挟持アーム１・２が逆交差構造にして組み付けられていると、図３に示すように、第３挟歯１２でビス頭１５の対向周面を挟持して、符号Ｙで示す弛み方向へ捻るとき、各挟持アーム１・２のアゴ部４には、図４に示すように互いに捻り方向とは逆向きの捻り反力Ｐが作用する。これらの捻り反力Ｐは、両挟持アーム１・２の接合座２１を、互いに密着させる向きに作用する。そのため、ビス頭１５に加わる捻り力が大きければ大きいほど、両挟持アーム１・２の接合座２１を密着させて、プライヤーに加えた操作力を確実にビスに伝え、がたつきや動作ロスがない状態でビスを分離できる。したがって、両挟持アーム１・２の間に、連結点を変更するための隙間が設けてある場合でも、ネジ軸がさび付いたビスを確実に、しかも速やかに弛めることができ、使用者の意図通りにビスを分離除去できる。
【００２２】
上記の実施例ではスリップジョイントプライヤーついて説明したが、本発明は図６に示す通常形態のプライヤーにも適用できる。
【図面の簡単な説明】
【００２３】
【図１】プライヤーの斜視図である。
【図２】プライヤーの側面図である。
【図３】使用状態におけるプライヤーのアゴ部の側面図である。
【図４】図３におけるＡ−Ａ線断面図である。
【図５】別の使用状態におけるプライヤーのアゴ部の側面図である。
【図６】従来のプライヤーの斜視図である。
【符号の説明】
【００２４】
１  第１挟持アーム
２  第２挟持アーム
３  連結軸
４  アゴ部
５  握り柄
１２  挟歯
１５  ビス頭
１６  連結穴
１７  嵌合穴
１８  溝
【図１】
2005279801.tif 000003
【図２】
2005279801.tif 000004
【図３】
2005279801.tif 000005
【図４】
2005279801.tif 000006
【図５】
2005279801.tif 000007
【図６】
2005279801.tif 000008